(57)【要約】【課題】肥満パラメータと骨パラメータを両方参照した健康状態を知らせることが可能な健康管理装置、健康管理装置の作動方法、健康管理装置の作動プログラムを提供する。【解決手段】健康管理装置のＣＰＵは、取得部、第１導出部、および画面出力制御部として機能する。取得部は、対象ペットの肥満の程度を表す肥満パラメータである体脂肪率と、対象ペットの骨の強さの程度を表す骨パラメータである骨密度とを取得する。第１導出部は、体脂肪率と骨密度の相関関係に基づいて、対象ペットの健康状態を導出する。画面出力制御部は、健康状態を表示した健診結果表示画面を出力する制御を行う。【選択図】図７
2020166682.tif 000002
【特許請求の範囲】
【請求項１】
対象被検体の肥満の程度を表す肥満パラメータと、前記対象被検体の骨の強さの程度を表す骨パラメータとを取得する取得部と、
前記肥満パラメータと前記骨パラメータの相関関係に基づいて、前記対象被検体の健康状態を導出する第１導出部と、
前記健康状態を出力する制御を行う出力制御部と、
を備える健康管理装置。
【請求項２】
縦軸および横軸のうちの一方の軸に前記肥満パラメータが、他方の軸に前記骨パラメータが配された座標領域を分割した複数の分割領域の各々に対応する前記健康状態が登録された健康状態テーブルを、記憶部から読み出して前記第１導出部に出力する読み出し部を備え、
前記第１導出部は、前記対象被検体の前記肥満パラメータと前記骨パラメータの交点が存在する前記分割領域に対応する前記健康状態を、前記健康状態テーブルから導出する請求項１に記載の健康管理装置。
【請求項３】
前記出力制御部は、前記対象被検体の前記肥満パラメータと前記骨パラメータの前記交点が示された前記座標領域を出力する制御を行う請求項２に記載の健康管理装置。
【請求項４】
前記対象被検体の前回の前記肥満パラメータと前記骨パラメータの相関関係、および前記対象被検体の今回の前記肥満パラメータと前記骨パラメータの相関関係に基づいて、前記対象被検体の前記健康状態の推移を導出する第２導出部を備え、
前記出力制御部は、前記健康状態の推移を出力する制御を行う請求項１から請求項３のいずれか１項に記載の健康管理装置。
【請求項５】
請求項２または請求項３を引用する請求項４に記載の健康管理装置において、
前記読み出し部は、前回の前記肥満パラメータと前記骨パラメータの前記交点が存在する前記分割領域である前回領域、および今回の前記肥満パラメータと前記骨パラメータの前記交点が存在する前記分割領域である今回領域に対応する前記健康状態の推移が登録された健康状態推移テーブルを、前記記憶部から読み出して前記第２導出部に出力し、
前記第２導出部は、前記対象被検体の前回領域および今回領域に対応する前記健康状態の推移を、前記健康状態推移テーブルから導出する健康管理装置。
【請求項６】
前記出力制御部は、前記対象被検体の前回の前記肥満パラメータと前記骨パラメータの前記交点、および前記対象被検体の今回の前記肥満パラメータと前記骨パラメータの前記交点が示された前記座標領域を出力する制御を行う請求項５に記載の健康管理装置。
【請求項７】
前記対象被検体と前記健康状態の推移が類似している類似被検体を検索する第１検索部を備え、
前記出力制御部は、前記類似被検体の前記健康状態の推移を出力する制御を行う請求項４から請求項６のいずれか１項に記載の健康管理装置。
【請求項８】
請求項６を引用する請求項７に記載の健康管理装置において、
前記出力制御部は、前記対象被検体の前回の前記肥満パラメータと前記骨パラメータの前記交点、および前記対象被検体の今回の前記肥満パラメータと前記骨パラメータの前記交点に加えて、前記類似被検体の前記肥満パラメータと前記骨パラメータの前記交点が示された前記座標領域を出力する制御を行う健康管理装置。
【請求項９】
前記対象被検体の前記健康状態の推移が悪化を示す内容であった場合、前記健康状態の推移が逆に良化している良化被検体への処方情報を検索する第２検索部を備え、
前記出力制御部は、前記処方情報を出力する制御を行う請求項４から請求項８のいずれか１項に記載の健康管理装置。
【請求項１０】
前記肥満パラメータと前記骨パラメータは、積層型放射線検出器を用いて前記対象被検体を放射線撮影して得られた放射線画像に基づいて算出されたものである請求項１から請求項９のいずれか１項に記載の健康管理装置。
【請求項１１】
前記肥満パラメータは、体重、体脂肪率、およびボディマス指数のうちのいずれかであり、
前記骨パラメータは、骨量、骨密度のうちのいずれかである請求項１から請求項１０のいずれか１項に記載の健康管理装置。
【請求項１２】
前記対象被検体はペットである請求項１から請求項１１のいずれか１項に記載の健康管理装置。
【請求項１３】
対象被検体の肥満の程度を表す肥満パラメータと、前記対象被検体の骨の強さの程度を表す骨パラメータとを取得する取得ステップと、
前記肥満パラメータと前記骨パラメータの相関関係に基づいて、前記対象被検体の健康状態を導出する第１導出ステップと、
前記健康状態を出力する制御を行う出力制御ステップと、
を備える健康管理装置の作動方法。
【請求項１４】
対象被検体の肥満の程度を表す肥満パラメータと、前記対象被検体の骨の強さの程度を表す骨パラメータとを取得する取得部と、
前記肥満パラメータと前記骨パラメータの相関関係に基づいて、前記対象被検体の健康状態を導出する第１導出部と、
前記健康状態を出力する制御を行う出力制御部として、
コンピュータを機能させる健康管理装置の作動プログラム。
【発明の詳細な説明】
【技術分野】
【０００１】
本開示の技術は、健康管理装置、健康管理装置の作動方法、健康管理装置の作動プログラムに関する。
【背景技術】
【０００２】
特許文献１には、被検体の健康状態を管理するための健康管理装置が記載されている。特許文献１に記載の健康管理装置では、体脂肪率、骨量、骨密度といった被検体の体組成を表す複数のパラメータを取得し、パラメータ毎の時系列変化を表すグラフを表示出力している。
【先行技術文献】
【特許文献】
【０００３】
【特許文献１】特開２００５−２４５６６９号公報
【発明の概要】
【発明が解決しようとする課題】
【０００４】
肥満は、様々な生活習慣病の原因とされている。また、骨の脆弱化は、骨折して介護生活を余儀なくされる等、体が弱るきっかけになるとされている。このため、体脂肪率といった被検体の肥満の程度を表す肥満パラメータと、骨量、骨密度といった被検体の骨の強さの程度を表す骨パラメータとは、特に重要なパラメータであるといえる。
【０００５】
最近、健康志向の高まりに伴って、上記のように重要なパラメータである肥満パラメータと骨パラメータを両方参照した健康状態を知りたいという要望がある。しかしながら、従来は、特許文献１に記載の健康管理装置のように、肥満パラメータと骨パラメータとで別々に健康状態を評価している。このため、肥満パラメータと骨パラメータを両方参照した健康状態を知りたいという要望に応えることができなかった。
【０００６】
本開示の技術は、肥満パラメータと骨パラメータを両方参照した健康状態を知らせることが可能な健康管理装置、健康管理装置の作動方法、健康管理装置の作動プログラムを提供することを目的とする。
【課題を解決するための手段】
【０００７】
上記目的を達成するために、本開示の健康管理装置は、対象被検体の肥満の程度を表す肥満パラメータと、対象被検体の骨の強さの程度を表す骨パラメータとを取得する取得部と、肥満パラメータと骨パラメータの相関関係に基づいて、対象被検体の健康状態を導出する第１導出部と、健康状態を出力する制御を行う出力制御部と、を備える。
【０００８】
縦軸および横軸のうちの一方の軸に肥満パラメータが、他方の軸に骨パラメータが配された座標領域を分割した複数の分割領域の各々に対応する健康状態が登録された健康状態テーブルを、記憶部から読み出して第１導出部に出力する読み出し部を備え、第１導出部は、対象被検体の肥満パラメータと骨パラメータの交点が存在する分割領域に対応する健康状態を、健康状態テーブルから導出することが好ましい。
【０００９】
出力制御部は、対象被検体の肥満パラメータと骨パラメータの交点が示された座標領域を出力する制御を行うことが好ましい。
【００１０】
対象被検体の前回の肥満パラメータと骨パラメータの相関関係、および対象被検体の今回の肥満パラメータと骨パラメータの相関関係に基づいて、対象被検体の健康状態の推移を導出する第２導出部を備え、出力制御部は、健康状態の推移を出力する制御を行うことが好ましい。
【００１１】
読み出し部は、前回の肥満パラメータと骨パラメータの交点が存在する分割領域である前回領域、および今回の肥満パラメータと骨パラメータの交点が存在する分割領域である今回領域に対応する健康状態の推移が登録された健康状態推移テーブルを、記憶部から読み出して第２導出部に出力し、第２導出部は、対象被検体の前回領域および今回領域に対応する健康状態の推移を、健康状態推移テーブルから導出することが好ましい。
【００１２】
出力制御部は、対象被検体の前回の肥満パラメータと骨パラメータの交点、および対象被検体の今回の肥満パラメータと骨パラメータの交点が示された座標領域を出力する制御を行うことが好ましい。
【００１３】
対象被検体と健康状態の推移が類似している類似被検体を検索する第１検索部を備え、出力制御部は、類似被検体の健康状態の推移を出力する制御を行うことが好ましい。
【００１４】
出力制御部は、対象被検体の前回の肥満パラメータと骨パラメータの交点、および対象被検体の今回の肥満パラメータと骨パラメータの交点に加えて、類似被検体の肥満パラメータと骨パラメータの交点が示された座標領域を出力する制御を行うことが好ましい。
【００１５】
対象被検体の健康状態の推移が悪化を示す内容であった場合、健康状態の推移が逆に良化している良化被検体への処方情報を検索する第２検索部を備え、出力制御部は、処方情報を出力する制御を行うことが好ましい。
【００１６】
肥満パラメータと骨パラメータは、積層型放射線検出器を用いて対象被検体を放射線撮影して得られた放射線画像に基づいて算出されたものであることが好ましい。
【００１７】
肥満パラメータは、体重、体脂肪率、およびボディマス指数のうちのいずれかであり、骨パラメータは、骨量、骨密度のうちのいずれかであることが好ましい。
【００１８】
対象被検体はペットであることが好ましい。
【００１９】
本開示の健康管理装置の作動方法は、対象被検体の肥満の程度を表す肥満パラメータと、対象被検体の骨の強さの程度を表す骨パラメータとを取得する取得ステップと、肥満パラメータと骨パラメータの相関関係に基づいて、対象被検体の健康状態を導出する第１導出ステップと、健康状態を出力する制御を行う出力制御ステップと、を備える。
【００２０】
本開示の健康管理装置の作動プログラムは、対象被検体の肥満の程度を表す肥満パラメータと、対象被検体の骨の強さの程度を表す骨パラメータとを取得する取得部と、肥満パラメータと骨パラメータの相関関係に基づいて、対象被検体の健康状態を導出する第１導出部と、健康状態を出力する制御を行う出力制御部として、コンピュータを機能させる。
【発明の効果】
【００２１】
本開示の技術によれば、肥満パラメータと骨パラメータを両方参照した健康状態を知らせることが可能な健康管理装置、健康管理装置の作動方法、健康管理装置の作動プログラムを提供することができる。
【図面の簡単な説明】
【００２２】
【図１】健康管理システムを示す図である。
【図２】健康診断の検査種を示す図である。
【図３】健診結果に関連付けられる各種情報を示す図である。
【図４】動物病院におけるペットの放射線検査の様子を示す図である。
【図５】放射線検出器を示す図である。
【図６】健康管理装置およびオーナー端末を構成するコンピュータを示すブロック図である。
【図７】健康管理装置のＣＰＵの処理部を示すブロック図である。
【図８】健康状態テーブルの成り立ちを示す図であり、図８Ａは健康状態テーブルの作成の元となる座標領域、図８Ｂは健康状態テーブルを示す。
【図９】第１導出部において対象ペットの健康状態を導出する様子を示す図である。
【図１０】オーナー端末のＣＰＵの処理部を示すブロック図である。
【図１１】健診結果表示画面を示す図である。
【図１２】健康管理装置の処理手順を示すフローチャートである。
【図１３】肥満パラメータを体重、骨パラメータを骨量とした場合の健診結果表示画面を示す図である。
【図１４】肥満パラメータをボディマス指数、骨パラメータを骨量とした場合の健診結果表示画面を示す図である。
【図１５】健康状態情報ＤＢを示す図である。
【図１６】ペットの健康状態の推移を導出する第２導出部を備える第２実施形態を示す図である。
【図１７】健康状態推移テーブルを示す図である。
【図１８】健康状態推移テーブルの作成の元となる判断を示す図である。
【図１９】第２導出部において対象ペットの健康状態の推移を導出する様子を示す図である。
【図２０】第２実施形態の健診結果表示画面を示す図である。
【図２１】類似ペットを検索する第３実施形態を示す図である。
【図２２】第１検索キーと類似ペット情報の例を示す図である。
【図２３】類似ペットの健康状態の推移が非表示の第３実施形態の健診結果表示画面を示す図である。
【図２４】類似ペットの健康状態の推移が表示された第３実施形態の健診結果表示画面を示す図である。
【図２５】処方情報ＤＢを示す図である。
【図２６】良化被検体への処方情報を検索する第４実施形態を示す図である。
【図２７】第２検索キーと良化ペット情報の例を示す図である。
【図２８】第３検索キーと処方情報の例を示す図である。
【図２９】良化ペットの処方情報が非表示の第４実施形態の健診結果表示画面を示す図である。
【図３０】良化ペットの処方情報が表示された第４実施形態の健診結果表示画面を示す図である。
【図３１】オーナー端末のディスプレイの向きが横向きであった場合の健診結果表示画面を示す図である。
【発明を実施するための形態】
【００２３】
［第１実施形態］
図１において、健康管理システム２は、本開示の技術に係る「対象被検体」の一例である対象ペットＴＰの健康状態を管理するシステムである。健康管理システム２は、健康管理装置１０と、対象ペットＴＰのオーナーＯＷが所有するオーナー端末１１と、動物病院ＡＨにおいて医師ＤＲ等が操作する病院端末１２とを備える。健康管理装置１０は、例えばサーバコンピュータである。オーナー端末１１は、例えばスマートフォンである。病院端末１２は、例えばデスクトップ型のパーソナルコンピュータである。なお、対象ペットＴＰ、オーナーＯＷ、および動物病院ＡＨは、実際には複数存在する。このため、オーナー端末１１および病院端末１２も、実際には複数台ある。
【００２４】
健康管理装置１０、オーナー端末１１、および病院端末１２は、ネットワーク１３を介して相互に通信可能に接続されている。ネットワーク１３は、例えば、インターネットあるいは公衆通信網等のＷＡＮ（Ｗｉｄｅ  Ａｒｅａ  Ｎｅｔｗｏｒｋ）である。
【００２５】
オーナーＯＷは、対象ペットＴＰを伴って動物病院ＡＨに来院し、動物病院ＡＨにおいて対象ペットＴＰに健康診断を受診させる。医師ＤＲは、病院端末１２を操作して、対象ペットＴＰの健診結果ＭＲ（図３参照）を健康管理装置１０にアップロードする。
【００２６】
健康管理装置１０は、病院端末１２から健診結果ＭＲがアップロードされた旨のアップロード通知を、オーナー端末１１に送信する。アップロード通知を受けた場合、オーナーＯＷは、オーナー端末１１を操作して健康管理装置１０に配信要求を送信する。健康管理装置１０は、オーナー端末１１からの配信要求を受けて、健診結果ＭＲが表示された健診結果表示画面７０（図１１等参照）をオーナー端末１１に配信する。
【００２７】
図２において、健康診断の検査種は、主として、検体検査、身体検査、および画像検査に分かれる。検体検査は、血液検査、尿検査、生化学検査等である。血液検査には、赤血球数、白血球数、ヘモグロビン等の項目がある。尿検査には、尿蛋白、尿糖、尿潜血、ウロビリノーゲン等の項目がある。生化学検査には、アルブミン、クレアチニン、総コレステロール等の項目がある。身体検査には、体長、体高、腹囲等の項目がある。検体検査および身体検査の健診結果ＭＲは、上記の項目の数値である。画像検査は、放射線検査、内視鏡検査、超音波検査等である。画像検査の健診結果ＭＲは、放射線検査の放射線画像ＲＩＭ等の医療画像である。
【００２８】
図３に示すように、健診結果ＭＲには、ペット情報、オーナー情報、および病院情報が関連付けられている。ペット情報には、ペット識別情報、ペット名、動物種、品種、性別、年齢等が含まれている。ペット識別情報は、記号および／または番号で構成されるＩＤ（Ｉｄｅｎｔｉｆｉｃａｔｉｏｎ  Ｄａｔａ）である。動物種は、犬、猫等である。品種は、対象ペットＴＰが犬であれば、ラブラドールレトリバー、柴犬等である。オーナー情報には、オーナー識別情報、オーナー名、住所等が含まれている。病院情報には病院識別情報等が含まれている。これらペット情報、オーナー情報、および病院情報は、健診結果とともに病院端末１２から健康管理装置１０にアップロードされる。
【００２９】
動物病院ＡＨにおける対象ペットＴＰの放射線検査の様子を示す図４において、放射線検査には、放射線源２０と放射線検出器２１とが用いられる。対象ペットＴＰは、放射線源２０と放射線検出器２１との間に配置される。放射線源２０は、対象ペットＴＰに向けて放射線を照射する。放射線検出器２１は、放射線源２０から照射されて対象ペットＴＰを透過した放射線を検出して、放射線画像ＲＩＭを出力する。なお、放射線は、例えばＸ線、またはγ線である。
【００３０】
放射線検査においては、対象ペットＴＰは図示しない寝台に横臥され、放射線検査を行う放射線技師ＲＡによって四肢を保定される。そして、対象ペットＴＰの下に放射線検出器２１が挿入される。なお、放射線検査は、対象ペットＴＰを寝台にうつ伏せに寝かせて行う場合もあれば、仰向けに寝かせて行う場合もある。また、放射線技師ＲＡによる対象ペットＴＰの保定は、前脚と腰部に対して行う場合もある。
【００３１】
なお、放射線源２０としては、製品名「ＣＡＬＮＥＯ  Ｘａｉｒ」（富士フイルム株式会社製）等の持ち運び可能な携帯型放射線源を用いてもよい。こうした携帯型放射線源を用いた場合、図４で示したように対象ペットＴＰを寝台に横臥させて、放射線技師ＲＡによって対象ペットＴＰの四肢等を保定するのではなく、立ち姿の対象ペットＴＰに放射線を照射して放射線画像ＲＩＭを撮影してもよい。対象ペットＴＰを寝台に横臥させた場合は対象ペットＴＰが暴れるおそれがあるため、放射線技師ＲＡによって対象ペットＴＰの四肢等を保定する必要がある。対して、携帯型放射線源を用いれば、放射線技師ＲＡによって対象ペットＴＰの四肢等を保定する必要がなく、より自然な立ち姿で対象ペットＴＰの放射線画像ＲＩＭを撮影することができる。
【００３２】
図５に示すように、放射線検出器２１は、可搬型の筐体２５を備える。筐体２５には、第１放射線検出部２６、放射線制限板２７、第２放射線検出部２８、第１回路部２９、および第２回路部３０等が内蔵されている。第１放射線検出部２６、放射線制限板２７、第２放射線検出部２８は、放射線が入射する筐体２５の前面側から見て、この順に積層されている。すなわち、放射線検出器２１は、本開示の技術に係る「積層型放射線検出器」の一例である。具体的には、放射線検出器２１は、製品名「ＣＡＬＮＥＯ  Ｄｕａｌ」（富士フイルム株式会社製）等である。
【００３３】
第１放射線検出部２６は、第１光検出基板３１と第１シンチレータ３２とで構成される。第２放射線検出部２８は、第２光検出基板３３と第２シンチレータ３４とで構成される。第１光検出基板３１と第１シンチレータ３２は、筐体２５の前面側から見て、この順に積層されている。また、第２光検出基板３３と第２シンチレータ３４は、筐体２５の前面側から見て、この順に積層されている。なお、図示は省略したが、筐体２５には、各部に電力を供給するバッテリ、放射線画像ＲＩＭを送信する無線通信部等も内蔵されている。
【００３４】
第１シンチレータ３２および第２シンチレータ３４は蛍光体を有し、入射した放射線を可視光に変換して放出する。第１シンチレータ３２と第２シンチレータ３４は、蛍光体が異なる。第１シンチレータ３２は、蛍光体として例えばＣｓＩ：Ｔｌ（タリウム賦活ヨウ化セシウム）を有する。第２シンチレータ３４は、蛍光体として例えばＧＯＳ（Ｇｄ2Ｏ2Ｓ：Ｔｂ、テルビウム賦活ガドリウムオキシサルファイド）を有する。
【００３５】
第１光検出基板３１および第２光検出基板３３は、第１シンチレータ３２および第２シンチレータ３４から放出された可視光を検出して電気信号に変換する。より詳しくは、第１光検出基板３１および第２光検出基板３３は、２次元マトリクス状に配列された複数の画素を有する。画素は、周知のように、可視光の入射によって電荷（電子−正孔対）を発生してこれを蓄積する光電変換部、および光電変換部への電荷の蓄積と光電変換部からの電荷の読み出しを制御するＴＦＴ（Ｔｈｉｎ  Ｆｉｌｍ  Ｔｒａｎｓｉｓｔｏｒ）等のスイッチング素子を有する。
【００３６】
第１回路部２９は、第１光検出基板３１のスイッチング素子等の駆動を制御するとともに、第１光検出基板３１から出力された電気信号に基づき第１放射線画像ＲＩＭ１を生成する。同じく、第２回路部３０は、第２光検出基板３３のスイッチング素子等の駆動を制御するとともに、第２光検出基板３３から出力された電気信号に基づき第２放射線画像ＲＩＭ２を生成する。第１放射線画像ＲＩＭ１および第２放射線画像ＲＩＭ２は、本開示の技術に係る「放射線画像」の一例である。第１放射線画像ＲＩＭ１および第２放射線画像ＲＩＭ２は、健診結果ＭＲとして健康管理装置１０にアップロードされる。なお、第１光検出基板３１と第１シンチレータ３２は、筐体２５の前面側から見て、第１シンチレータ３２、第１光検出基板３１の順に積層されていてもよい。第２光検出基板３３と第２シンチレータ３４も同様である。また、放射線検出器２１は、本例の第１シンチレータ３２および第２シンチレータ３４で可視光とされた放射線を電気信号に変換する間接変換型ではなく、放射線を直接電気信号に変換する直接変換型でもよい。
【００３７】
放射線制限板２７は、第１放射線検出部２６を透過して第２放射線検出部２８に照射される放射線の線量を制限する。放射線制限板２７は、例えば銅、錫等からなる。この放射線制限板２７および第１放射線検出部２６により放射線が吸収されるため、第２放射線検出部２８には、第１放射線検出部２６よりも低い線量の放射線が照射される。また、放射線制限板２７は、放射線の低エネルギー成分（軟線成分ともいう）を多く吸収する。このため、第２放射線検出部２８には、エネルギー分布が高エネルギー成分（硬線成分ともいう）に偏った放射線が照射される。すなわち、放射線検出器２１によれば、１回の放射線の照射により、エネルギー分布の異なる２種の放射線を照射した場合と同じ効果が得られる。
【００３８】
第１放射線画像ＲＩＭ１および第２放射線画像ＲＩＭ２には、肋骨、背骨といった骨部組織と、肺、胃といった軟部組織との両方が映っている。ただし、これら骨部組織と軟部組織とは、吸収しやすい放射線のエネルギーが異なる。このため、第１放射線画像ＲＩＭ１に映る骨部組織と第２放射線画像ＲＩＭ２に映る骨部組織は、画素値が異なる。また、第１放射線画像ＲＩＭ１に映る軟部組織と第２放射線画像ＲＩＭ２に映る軟部組織も、画素値が異なる。
【００３９】
なお、第１放射線画像ＲＩＭ１および第２放射線画像ＲＩＭ２を撮影する装置は、放射線源と、１つの放射線検出部が内蔵された放射線検出器および架台とが一体になった骨密度測定装置であってもよい。この場合、放射線検出器は１つの放射線検出部のみであるため、エネルギーの異なる２種の放射線を放射線源から２回照射し、その都度放射線検出器で放射線を検出することで、第１放射線画像ＲＩＭ１および第２放射線画像ＲＩＭ２を取得することができる。あるいは、ＣＴ（Ｃｏｍｐｕｔｅｄ  Ｔｏｍｏｇｒａｐｈｙ）装置を用いたＱＣＴ（Ｑｕａｎｔｉｔａｔｉｖｅ  Ｃｏｍｐｕｔｅｄ  Ｔｏｍｏｇｒａｐｈｙ）法等、放射線を用いた骨密度を測定できる方法であればよい。
【００４０】
図６において、健康管理装置１０およびオーナー端末１１を構成するコンピュータは、基本的には同じ構成であり、ストレージデバイス４０、メモリ４１、ＣＰＵ（Ｃｅｎｔｒａｌ  Ｐｒｏｃｅｓｓｉｎｇ  Ｕｎｉｔ）４２、通信部４３、ディスプレイ４４、および入力デバイス４５を備えている。これらはバスライン４６を介して相互接続されている。
【００４１】
ストレージデバイス４０は、健康管理装置１０およびオーナー端末１１を構成するコンピュータに内蔵、またはケーブルやネットワークを通じて接続されたハードディスクドライブである。もしくはストレージデバイス４０は、ハードディスクドライブを複数台連装したディスクアレイである。ストレージデバイス４０には、オペレーティングシステム等の制御プログラムや各種アプリケーションプログラム（以下、ＡＰ（Ａｐｐｌｉｃａｔｉｏｎ  Ｐｒｏｇｒａｍ）と略す）、およびこれらのプログラムに付随する各種データ等が記憶されている。
【００４２】
メモリ４１は、ＣＰＵ４２が処理を実行するためのワークメモリである。ＣＰＵ４２は、ストレージデバイス４０に記憶されたプログラムをメモリ４１へロードして、プログラムにしたがった処理を実行することにより、コンピュータの各部を統括的に制御する。
【００４３】
通信部４３は、ネットワーク１３を介した各種情報の伝送制御を行うネットワークインターフェースである。ディスプレイ４４は各種画面を表示する。各種画面にはＧＵＩ(Ｇｒａｐｈｉｃａｌ  Ｕｓｅｒ  Ｉｎｔｅｒｆａｃｅ)による操作機能が備えられる。健康管理装置１０およびオーナー端末１１を構成するコンピュータは、各種画面を通じて、入力デバイス４５からの操作指示の入力を受け付ける。入力デバイス４５は、キーボード、マウス、タッチパネル等である。
【００４４】
なお、以下の説明では、健康管理装置１０を構成するコンピュータの各部には添え字の「Ａ」を、オーナー端末１１を構成するコンピュータの各部には添え字の「Ｂ」をそれぞれ符号に付して区別する。
【００４５】
図７において、健康管理装置１０のストレージデバイス４０Ａには、作動プログラム５０が記憶されている。ストレージデバイス４０Ａには、作動プログラム５０の他に、健診結果ＭＲと健康状態テーブルＨＣＴとが記憶されている。すなわち、ストレージデバイス４０Ａは、本開示の技術に係る「記憶部」の一例である。
【００４６】
作動プログラム５０は、本開示の技術に係る「健康管理装置の作動プログラム」の一例である。作動プログラム５０が起動されると、健康管理装置１０のＣＰＵ４２Ａは、メモリ４１等と協働して、リードライト（以下、ＲＷ（Ｒｅａｄ  Ｗｒｉｔｅ）と略す）制御部５５、算出部５６、取得部５７、第１導出部５８、および画面出力制御部５９として機能する。画面出力制御部５９は、画面生成部６０および画面配信部６１を有している。なお、以下に記載する「画面出力制御部５９」は、画面生成部６０および画面配信部６１を含む概念である。
【００４７】
ＲＷ制御部５５は、ストレージデバイス４０Ａ内の各種データの読み出し、およびストレージデバイス４０Ａへの各種データの記憶を制御する。ＲＷ制御部５５は、病院端末１２からの健診結果ＭＲ（ペット情報、オーナー情報、および病院情報を含む）をストレージデバイス４０Ａに記憶する。健診結果ＭＲには、放射線検出部２１からの第１放射線画像ＲＩＭ１および第２放射線画像ＲＩＭ２がある。また、ＲＷ制御部５５は、ストレージデバイス４０Ａから健診結果ＭＲを読み出す。そして、読み出した健診結果ＭＲに含まれる第１放射線画像ＲＩＭ１および第２放射線画像ＲＩＭ２を算出部５６に出力し、健診結果ＭＲを画面出力制御部５９に出力する。
【００４８】
ＲＷ制御部５５は、ストレージデバイス４０Ａから健康状態テーブルＨＣＴを読み出し、読み出した健康状態テーブルＨＣＴを第１導出部５８に出力する。すなわち、ＲＷ制御部５５は、本開示の技術に係る「読み出し部」の一例である。
【００４９】
算出部５６は、第１放射線画像ＲＩＭ１および第２放射線画像ＲＩＭ２に基づいて、対象ペットＴＰの肥満の程度を表す肥満パラメータの一例である体脂肪率ＢＦＰと、対象ペットＴＰの骨の強さの程度を表す骨パラメータの一例である骨密度ＢＤとを算出する。算出部５６は、例えば特開２０１５−０３８７３４号に記載の方法を用いて、第１放射線画像ＲＩＭ１および第２放射線画像ＲＩＭ２から対象ペットＴＰの体脂肪率ＢＦＰを算出する。また、算出部５６は、例えば特開２０１８−１９２０５６号公報等に記載のＤＸＡ（Ｄｕａｌ−ｅｎｅｒｇｙ  Ｘ−ｒａｙ  Ａｂｓｏｒｐｉｏｍｅｔｒｙ）法を用いて、対象ペットＴＰの骨密度ＢＤを算出する。算出部５６は、算出した体脂肪率ＢＦＰおよび骨密度ＢＤを取得部５７に出力する。
【００５０】
取得部５７は、算出部５６からの体脂肪率ＢＦＰおよび骨密度ＢＤを取得する。取得部５７は、体脂肪率ＢＦＰおよび骨密度ＢＤを第１導出部５８に出力する。
【００５１】
第１導出部５８は、ＲＷ制御部５５からの健康状態テーブルＨＣＴ、および取得部５７からの体脂肪率ＢＦＰと骨密度ＢＤの相関関係に基づいて、対象ペットＴＰの健康状態を導出する。第１導出部５８は、健康状態の導出結果を示す健康状態情報ＨＣＩを作成する。第１導出部５８は、健康状態情報ＨＣＩを画面出力制御部５９に出力する。
【００５２】
画面出力制御部５９は、オーナー端末１１からの、健診結果表示画面７０を含む各種画面の配信要求を受け付ける。画面出力制御部５９は、配信要求を受け付けた場合、各種画面のオーナー端末１１への出力を制御する。より詳しくは、画面出力制御部５９は、各種画面を、例えば、ＸＭＬ（Ｅｘｔｅｎｓｉｂｌｅ  Ｍａｒｋｕｐ  Ｌａｎｇｕａｇｅ）等のマークアップ言語によって作成されるウェブ配信用の画面データの形式で出力する。これにより、オーナー端末１１では、各種画面をウェブブラウザ上で閲覧することが可能となる。ＸＭＬに代えて、ＪＳＯＮ（Ｊａｖａｓｃｒｉｐｔ（登録商標）  Ｏｂｊｅｃｔ  Ｎｏｔａｔｉｏｎ）等の他のデータ記述言語を利用してもよい。
【００５３】
画面生成部６０は、各種画面の画面データを生成し、生成した画面データを画面配信部６１に出力する。画面配信部６１は、画面生成部６０からの画面データを、各種画面の配信要求の要求元のオーナー端末１１に配信する。
【００５４】
図８Ａは、健康状態テーブルＨＣＴの作成の元となる座標領域ＣＲを示している。座標領域ＣＲは、横軸に体脂肪率ＢＦＰが、縦軸に骨密度ＢＤが配された領域である。すなわち、横軸は、本開示の技術に係る「一方の軸」の一例であり、縦軸は、本開示の技術に係る「他方の軸」の一例である。座標領域ＣＲは、Ｒ＿Ａ１、Ｒ＿Ａ２、Ｒ＿Ｂ、Ｒ＿Ｃ、Ｒ＿Ｄ１、Ｒ＿Ｄ２、Ｒ＿Ｅ、Ｒ＿Ｆ、Ｒ＿Ｇ１、Ｒ＿Ｇ２、Ｒ＿Ｈ、およびＲ＿Ｉの計１２個の分割領域Ｒに分割されている。
【００５５】
図８Ｂに示すように、健康状態テーブルＨＣＴは、座標領域ＣＲの分割領域Ｒ＿Ａ１、Ｒ＿Ａ２、・・・の各々に対応する健康状態が登録されたテーブルである。例えば分割領域Ｒ＿Ａ１、Ｒ＿Ａ２には「正常」が、分割領域Ｒ＿Ｂには「食べすぎによる軽度の肥満の可能性あり」が、それぞれ健康状態として登録されている。また、例えば分割領域Ｒ＿Ｆには、「ホルモンアンバランスの可能性あり、または肥満による糖尿病の可能性あり」が健康状態として登録されている。
【００５６】
図９に示すように、第１導出部５８は、対象ペットＴＰの体脂肪率ＢＦＰと骨密度ＢＤの交点ＩＰが存在する分割領域Ｒに対応する健康状態を、健康状態テーブルＨＣＴから導出する。第１導出部５８は、導出した健康状態とこれに対応する分割領域Ｒ、および体脂肪率ＢＦＰと骨密度ＢＤで表される、座標領域ＣＲにおける交点ＩＰの位置情報とを含む健康状態情報ＨＣＩを作成する。図９では、交点ＩＰが分割領域Ｒ＿Ｆに存在していて、分割領域Ｒ＿Ｆに対応する健康状態である「ホルモンアンバランスの可能性あり、または肥満による糖尿病の可能性あり」が導出された例を示している。
【００５７】
図１０において、オーナー端末１１のストレージデバイス４０Ｂには、健康管理ＡＰ６５が記憶されている。健康管理ＡＰ６５が実行されてウェブブラウザが起動されると、オーナー端末１１のＣＰＵ４２Ｂは、メモリ４１等と協働して、ブラウザ制御部６６として機能する。ブラウザ制御部６６は、ウェブブラウザの動作を制御する。ブラウザ制御部６６は、健康管理装置１０からの各種画面の画面データを受け取る。ブラウザ制御部６６は、画面データに基づきウェブブラウザ上に表示する各種画面を再現し、これをディスプレイ４４Ｂに表示する。
【００５８】
また、ブラウザ制御部６６は、各種画面を通じて、オーナーＯＷによって入力デバイス４５Ｂから入力される様々な操作指示を受け付ける。操作指示には、健康管理装置１０へのアクセス指示、各種画面の配信指示等がある。ブラウザ制御部６６は、操作指示に応じた要求を健康管理装置１０に対して発行する。例えば、ブラウザ制御部６６は、各種画面の配信指示に応じて、各種画面の配信要求を健康管理装置１０に対して発行する。なお、オーナー端末１１はスマートフォンであるので、入力デバイス４５Ｂはタッチパネルである。
【００５９】
図１１において、オーナー端末１１のディスプレイ４４Ｂに表示される健診結果表示画面７０は、ペット情報表示区画７１、座標領域表示区画７２、健康状態表示区画７３、およびアドバイス表示区画７４を有している。ペット情報表示区画７１には、対象ペットＴＰの顔写真とともに、ペット名、年齢、性別、および品種が表示される。座標領域表示区画７２には、対象ペットＴＰの体脂肪率ＢＦＰと骨密度ＢＤの交点ＩＰが示された座標領域ＣＲが表示される。健康状態表示区画７３には、第１導出部５８において導出した対象ペットＴＰの健康状態が表示される。アドバイス表示区画７４には、オーナーＯＷに向けたアドバイスが表示される。すなわち、画面出力制御部５９は、本開示の技術に係る「出力制御部」の一例である。
【００６０】
表示切替ボタン７５は、健診結果表示画面７０の表示内容を切り替えるためのボタンである。健診結果表示画面７０に表示される内容としては、図１１で示した体脂肪率ＢＦＰと骨密度ＢＤを両方参照した健康状態等の他に、検体検査の各項目の数値の一覧、身体検査の各項目の数値の一覧、放射線画像ＲＩＭといった医療画像等がある。なお、全ての健診結果を網羅的にリスト形式で示した画面を表示してもよい。また、推奨する散歩の距離および時間、推奨する食事の量等、アドバイスをより具体的に示した画面を表示してもよい。さらにオーナーＯＷの操作に応じて、推奨する散歩コースを示した地図画面、あるいは推奨するペットフードの購入画面を表示してもよい。
【００６１】
次に、上記構成による作用について、図１２のフローチャートを参照して説明する。まず、作動プログラム５０が起動されると、図７で示したように、健康管理装置１０のＣＰＵ４２Ａが、ＲＷ制御部５５、算出部５６、取得部５７、第１導出部５８、および画面出力制御部５９（画面生成部６０および画面配信部６１）として機能される。
【００６２】
健康管理装置１０には、動物病院ＡＨの病院端末１２から、対象ペットＴＰの健診結果ＭＲがアップロードされる。健診結果ＭＲは、ＲＷ制御部５５において受信され、ＲＷ制御部５５によってストレージデバイス４０Ａに記憶される（ステップＳＴ１００）。
【００６３】
健診結果ＭＲは、ＲＷ制御部５５によってストレージデバイス４０Ａから読み出される（ステップＳＴ１１０）。健診結果ＭＲに含まれる第１放射線画像ＲＩＭ１および第２放射線画像ＲＩＭ２は、ＲＷ制御部５５から算出部５６に出力される。算出部５６では、第１放射線画像ＲＩＭ１および第２放射線画像ＲＩＭ２に基づいて、対象ペットＴＰの体脂肪率ＢＦＰ（肥満パラメータ）および骨密度ＢＤ（骨パラメータ）が算出される（ステップＳＴ１２０）。
【００６４】
体脂肪率ＢＦＰおよび骨密度ＢＤは、算出部５６から取得部５７に出力される。これにより、取得部５７において体脂肪率ＢＦＰおよび骨密度ＢＤが取得される（ステップＳＴ１３０）。体脂肪率ＢＦＰおよび骨密度ＢＤは、取得部５７から第１導出部５８に出力される。なお、ステップＳＴ１３０は、本開示の技術に係る「取得ステップ」の一例である。
【００６５】
第１導出部５８には、ＲＷ制御部５５から、図８で示した健康状態テーブルＨＣＴが入力される。そして、図９で示したように、第１導出部５８において、対象ペットＴＰの体脂肪率ＢＦＰと骨密度ＢＤの交点ＩＰが存在する分割領域Ｒに対応する健康状態が、健康状態テーブルＨＣＴから導出される（ステップＳＴ１４０）。第１導出部５８では、健康状態の導出結果を示す健康状態情報ＨＣＩが作成される。健康状態情報ＨＣＩは、第１導出部５８から画面出力制御部５９に出力される。なお、ステップＳＴ１４０は、本開示の技術に係る「第１導出ステップ」の一例である。
【００６６】
画面出力制御部５９では、オーナー端末１１からの健診結果表示画面７０の配信要求が受け付けられる。この配信要求が受け付けられた場合、画面出力制御部５９の画面生成部６０により、図１１で示した、座標領域表示区画７２および健康状態表示区画７３等を含む健診結果表示画面７０の画面データが生成される。健診結果表示画面７０の画面データは、画面配信部６１に出力される。健診結果表示画面７０の画面データは、画面配信部６１によって、配信要求の要求元のオーナー端末１１に配信される（ステップＳＴ１５０）。なお、ステップＳＴ１５０は、本開示の技術に係る「出力制御ステップ」の一例である。
【００６７】
オーナー端末１１では、ブラウザ制御部６６により、健康管理装置１０からの健診結果表示画面７０がディスプレイ４４Ｂに表示される。オーナーＯＷは、健診結果表示画面７０を閲覧し、対象ペットＴＰの健診結果を確認する。
【００６８】
以上説明したように、健康管理装置１０は、取得部５７、第１導出部５８、および画面出力制御部５９を備える。取得部５７は、対象ペットＴＰの体脂肪率ＢＦＰと骨密度ＢＤとを取得する。第１導出部５８は、体脂肪率ＢＦＰと骨密度ＢＤの相関関係に基づいて、対象ペットＴＰの健康状態を導出する。画面出力制御部５９は、健診結果表示画面７０を通じて、対象ペットＴＰの健康状態を出力する制御を行う。したがって、肥満パラメータと骨パラメータを両方参照した健康状態を知らせることが可能となる。対象ペットＴＰの健康状態を見極めるうえで、ともに重要なパラメータである肥満パラメータと骨パラメータを両方参照した健康状態を知りたい、という要望に応えることができる。
【００６９】
肥満は食べすぎだけでも起こるし、運動不足だけでも起こる。肥満から糖尿病になり、糖尿病の進行により骨粗しょう症を発症することも有り得る。また、骨粗しょう症は加齢だけが原因でも起こる。このように、肥満と骨粗しょう症の発症には様々なケースがあるため、肥満パラメータと骨パラメータの相関関係から、どういった原因で現在の健康状態に至ったかを見極めたうえで、改善のための食事、運動、薬剤等を提案する必要がある。
【００７０】
また、ペットの多くは生後１年程度で去勢手術が行われる。これにより気性が穏やかになり、発情期に起こりがちな問題行動も抑制される。しかし、弊害としてホルモン分泌が減少し、若い頃から骨が脆くなるおそれがある。加えてホルモンアンバランスにより肥満になりやすいことも知られており、肥満から糖尿病等の疾患に発展するおそれがある。ただし、去勢手術が行われたペットが肥満になったからといって、去勢手術によるホルモンアンバランスが原因とは限らず、単なる食べすぎの場合も考慮する必要がある等、やはりどういった原因で現在の健康状態に至ったかを見極めたうえで、総合的に判断して対処する必要がある。本開示の技術は、どういった原因で現在の健康状態に至ったかを見極めるための手助けをすることができるので、そうした点からも有用であるといえる。
【００７１】
第１導出部５８は、健康状態テーブルＨＣＴを用いて、対象ペットＴＰの健康状態を導出する。より詳しくは、健康状態テーブルＨＣＴは、横軸に体脂肪率ＢＦＰが、縦軸に骨密度ＢＤが配された座標領域ＣＲを分割した複数の分割領域Ｒの各々に対応する健康状態が登録されたテーブルである。そして、第１導出部５８は、対象ペットＴＰの体脂肪率ＢＦＰと骨密度ＢＤの交点ＩＰが存在する分割領域Ｒに対応する健康状態を、健康状態テーブルＨＣＴから導出する。したがって、対象ペットＴＰの健康状態を、極めて簡単に導出することができる。
【００７２】
画面出力制御部５９は、健診結果表示画面７０の座標領域表示区画７２を通じて、対象ペットＴＰの体脂肪率ＢＦＰと骨密度ＢＤの交点ＩＰが示された座標領域ＣＲを出力する制御を行う。したがって、体脂肪率ＢＦＰと骨密度ＢＤの相関関係を容易に視認させることができる。
【００７３】
体脂肪率ＢＦＰと骨密度ＢＤは、第１放射線検出部２６および第２放射線検出部２８が積層された放射線検出器２１を用いて対象ペットＴＰを放射線撮影して得られた、第１放射線画像ＲＩＭ１および第２放射線画像ＲＩＭ２に基づいて算出される。したがって、１回の放射線撮影で体脂肪率ＢＦＰと骨密度ＢＤを算出することができる。また、対象ペットＴＰが体毛の長い品種であった場合は、見た目では体毛で体形が隠されて肥満に気付きにくいが、第１放射線画像ＲＩＭ１および第２放射線画像ＲＩＭ２によれば、体毛の影響を排除することができ、隠れ肥満を発見することができる。
【００７４】
図４で示したように、対象ペットＴＰを放射線撮影する場合、対象ペットＴＰは放射線技師ＲＡによって保定される。もし、放射線検出器２１ではなく１つの放射線検出部のみを備える放射線検出器を用いた場合は、エネルギー分布の異なる２種の放射線を、タイミングをずらして照射する必要がある。エネルギー分布の異なる２種の放射線を、タイミングをずらして照射するためには、少なくとも数十秒程度の時間が要る。被検体が人間であれば、数十秒程度の時間は動かないように我慢することは可能である。しかし、対象ペットＴＰの場合は、自分の意に反して普段と異なる姿勢を無理やりとらされているため、暴れて動く可能性が高い。このため、第１放射線画像ＲＩＭ１および第２放射線画像ＲＩＭ２に、対象ペットＴＰの体動に起因するボケが発生し、撮影失敗となる確率が高くなる。撮影失敗となれば、撮影が成功するまで再撮影を繰り返さなければならず、対象ペットＴＰにとっても放射線技師ＲＡにとっても負担が大きくなる。また、対象ペットＴＰを動かないように強い力で押さえつけると、対象ペットＴＰが骨粗しょう症に罹っていた場合は、骨折のリスクが高まる。したがって、上記の１回の放射線撮影で体脂肪率ＢＦＰと骨密度ＢＤを算出することができる、という効果は、被検体が対象ペットＴＰである場合に特に有効である。
【００７５】
また、動物病院ＡＨにとっては、専用のＤＸＡ装置を導入する必要がなく、今まで使用していた放射線検出器を放射線検出器２１に取り替えるだけで済むため、設備投資の費用を最低限度に抑えることができ、設置スペースも節約することができる。
【００７６】
ペットは、前述のように去勢手術の影響で肥満になりやすく、かつ骨が脆くなりやすい。すなわち、ペットは、年齢に関係なく、肥満と骨粗しょう症の両方同時になるリスクが高い。したがって、肥満パラメータと骨パラメータを両方参照した健康状態を知らせることは、被検体がペットである場合には特に意味がある。
【００７７】
なお、図１３および図１４の健診結果表示画面７０に示すように、骨パラメータは、骨密度ＢＤの代わりに骨量であってもよい。また、肥満パラメータは、体脂肪率ＢＦＰの代わりに体重であってもよい（図１３参照）し、ボディマス指数（ＢＭＩ；Ｂｏｄｙ  Ｍａｓｓ  Ｉｎｄｅｘ）であってもよい（図１４参照）。この場合、肥満パラメータおよび骨パラメータは、放射線検出器２１を用いて対象ペットＴＰを放射線撮影して得られた第１放射線画像ＲＩＭ１および第２放射線画像ＲＩＭ２に基づいて算出されたものでなくてもよい。
【００７８】
骨パラメータを横軸、肥満パラメータを縦軸とした座標領域ＣＲを用いてもよい。
【００７９】
［第２実施形態］
図１５〜図２０に示す第２実施形態では、対象ペットＴＰの健康状態の推移を導出し、導出した健康状態の推移を出力する。
【００８０】
図１５において、第２実施形態の健康管理装置のストレージデバイス４０Ａには、健康状態情報データベース（以下、ＤＢ（Ｄａｔａ  Ｂａｓｅ）と略す）８０が記憶されている。健康状態情報ＤＢ８０には、ペット識別情報毎に、健診日と健康状態情報ＨＣＩの組が登録されている。健康状態情報ＨＣＩには、図９で示したように、交点ＩＰが存在する分割領域Ｒの情報および交点ＩＰの位置情報が含まれている。
【００８１】
図１６において、第２実施形態の健康管理装置のＣＰＵ４２Ａは、上記第１実施形態の各部（図１６ではＲＷ制御部５５および画面出力制御部５９のみ図示）に加えて、第２導出部８５として機能する。また、第２実施形態の健康管理装置のストレージデバイス４０Ａには、健康状態情報ＤＢ８０に加えて、健康状態推移テーブルＨＣＣＴが記憶されている。
【００８２】
ＲＷ制御部５５は、対象ペットＴＰの前回の健康状態情報ＨＣＩ＿ＬＴおよび今回の健康状態情報ＨＣＩ＿ＴＴを、健康状態情報ＤＢ８０から読み出す。ＲＷ制御部５５は、読み出した対象ペットＴＰの前回の健康状態情報ＨＣＩ＿ＬＴおよび今回の健康状態情報ＨＣＩ＿ＴＴを、第２導出部８５に出力する。また、ＲＷ制御部５５は、ストレージデバイスから健康状態推移テーブルＨＣＣＴを読み出し、読み出した健康状態推移テーブルＨＣＣＴを第２導出部８５に出力する。
【００８３】
第２導出部８５は、ＲＷ制御部５５からの対象ペットＴＰの前回の健康状態情報ＨＣＩ＿ＬＴおよび今回の健康状態情報ＨＣＩ＿ＴＴ、さらには健康状態推移テーブルＨＣＣＴに基づいて、対象ペットＴＰの健康状態の推移を導出する。第２導出部８５は、導出した健康状態の推移を示す健康状態推移情報ＨＣＣＩを作成し、健康状態推移情報ＨＣＣＩを画面出力制御部５９に出力する。画面出力制御部５９は、健康状態推移情報ＨＣＣＩに基づいて、健康状態の推移を出力する制御を行う（図２０参照）。なお、対象ペットＴＰの前回の健康状態情報ＨＣＩ＿ＬＴは、本開示の技術に係る「対象被検体の前回の肥満パラメータと骨パラメータの相関関係」の一例である。また、対象ペットＴＰの今回の健康状態情報ＨＣＩ＿ＴＴは、本開示の技術に係る「対象被検体の今回の肥満パラメータと骨パラメータの相関関係」の一例である。
【００８４】
図１７に示すように、健康状態推移テーブルＨＣＣＴは、前回領域および今回領域に対応する健康状態の推移が登録されたテーブルである。前回領域とは、前回の健診における肥満パラメータと骨パラメータの交点ＩＰ＿ＬＴ（図２０参照）が存在する分割領域Ｒである。今回領域とは、今回の健診における肥満パラメータと骨パラメータの交点ＩＰ＿ＴＴ（図２０参照）が存在する分割領域Ｒである。
【００８５】
健康状態推移テーブルＨＣＣＴにおいて、例えば前回領域Ｒ＿Ａ１、Ｒ＿Ａ２、今回領域Ｒ＿Ｂには「食べすぎにより肥満が進行」が健康状態の推移として登録されている。また、例えば前回領域Ｒ＿Ｂ、今回領域Ｒ＿Ｆには、「ホルモンアンバランス発生の可能性あり」が健康状態の推移として登録されている。さらに、例えば前回領域Ｒ＿Ｂ、今回領域Ｒ＿Ａ２には、「肥満が改善」が健康状態の推移として登録されている。
【００８６】
図１８に示すように、健康状態推移テーブルＨＣＣＴは、座標領域ＣＲにおける矢印８７Ａに沿った分割領域Ｒの推移を、食べすぎにより肥満または糖尿病が進行した、あるいは食べすぎにより糖尿病が発症する可能性がある、とする判断に則って作成される。また、健康状態推移テーブルＨＣＣＴは、座標領域ＣＲにおける矢印８７Ｂに沿った分割領域Ｒの推移を、加齢により骨粗しょう症が発症する可能性がある、あるいは加齢により骨粗しょう症が進行した、とする判断に則って作成される。さらに、健康状態推移テーブルＨＣＣＴは、座標領域ＣＲにおける矢印８７Ｃに沿った分割領域Ｒの推移を、ホルモンアンバランスが発生した、あるいはホルモンアンバランスにより肥満、骨粗しょう症が進行した、とする判断に則って作成される。
【００８７】
図１９に示すように、第２導出部８５は、前回の健康状態情報ＨＣＩ＿ＬＴに含まれる対象ペットＴＰの前回領域、および今回の健康状態情報ＨＣＩ＿ＴＴに含まれる対象ペットＴＰの今回領域に対応する健康状態の推移を、健康状態推移テーブルＨＣＣＴから導出する。第２導出部８５は、導出した健康状態の推移とこれに対応する前回領域および今回領域、前回の交点ＩＰ＿ＬＴの位置情報、今回の交点ＩＰ＿ＴＴの位置情報を含む健康状態推移情報ＨＣＣＩを作成する。図１９では、前回の健康状態情報ＨＣＩ＿ＬＴに含まれる対象ペットＴＰの前回領域がＲ＿Ｂ、今回の健康状態情報ＨＣＩ＿ＴＴに含まれる対象ペットＴＰの今回領域がＲ＿Ｆで、これらに対応する健康状態の推移である「ホルモンアンバランス発生の可能性あり」が導出された例を示している。
【００８８】
図２０において、第２実施形態の健診結果表示画面９０には、上記第１実施形態の健診結果表示画面７０の各区画７１〜７４に加えて、健康状態推移表示区画９１が設けられる。健康状態推移表示区画９１には、第２導出部８５において導出した対象ペットＴＰの健康状態の推移が表示される。また、健診結果表示画面９０の座標領域表示区画７２には、前回の交点ＩＰ＿ＬＴおよび今回の交点ＩＰ＿ＴＴ、さらには交点ＩＰ＿ＬＴを始点としＩＰ＿ＴＴを終点とする矢印９２が表示される。
【００８９】
このように、第２実施形態では、第２導出部８５は、対象ペットＴＰの前回の肥満パラメータと骨パラメータの相関関係、および対象ペットＴＰの今回の肥満パラメータと骨パラメータの相関関係に基づいて、対象ペットＴＰの健康状態の推移を導出する。画面出力制御部５９は、健診結果表示画面９０を通じて、健康状態の推移を出力する制御を行う。したがって、対象ペットＴＰの健康状態が前回の健診から悪化したのか良化したのかを簡単に認識させることができる。
【００９０】
第２導出部８５は、健康状態推移テーブルＨＣＣＴを用いて、対象ペットＴＰの健康状態の推移を導出する。より詳しくは、健康状態推移テーブルＨＣＣＴは、対象ペットＴＰの前回の肥満パラメータと骨パラメータの交点ＩＰ＿ＬＴが存在する分割領域Ｒである前回領域、および対象ペットＴＰの今回の肥満パラメータと骨パラメータの交点ＩＰ＿ＴＴが存在する分割領域Ｒである今回領域に対応する健康状態の推移が登録されたテーブルである。そして、第２導出部８５は、対象ペットＴＰの前回領域および今回領域に対応する健康状態の推移を、健康状態推移テーブルＨＣＣＴから導出する。したがって、対象ペットＴＰの健康状態の推移を、極めて簡単に導出することができる。
【００９１】
画面出力制御部５９は、健診結果表示画面９０を通じて、対象ペットＴＰの前回の肥満パラメータと骨パラメータの交点ＩＰ＿ＬＴ、および対象ペットＴＰの今回の肥満パラメータと骨パラメータの交点ＩＰ＿ＴＴが示された座標領域ＣＲを出力する制御を行う。したがって、対象ペットＴＰの健康状態が前回の健診から悪化したのか良化したのかを、より簡単に認識させることができる。
【００９２】
なお、対象ペットＴＰの前回領域と今回領域が同じであった場合は、健康状態は変化なしとして、健康状態推移表示区画９１、前回の肥満パラメータと骨パラメータの交点ＩＰ＿ＬＴの表示を取り止めてもよい。
【００９３】
分割領域Ｒの推移からではなく、対象ペットＴＰの前回の肥満パラメータと骨パラメータの交点ＩＰ＿ＬＴ、および対象ペットＴＰの今回の肥満パラメータと骨パラメータの交点ＩＰ＿ＴＴを結ぶベクトルの向きと傾きから、対象ペットＴＰの健康状態の推移を導出してもよい。
【００９４】
［第３実施形態］
図２１〜図２４に示す第３実施形態では、対象ペットＴＰと健康状態の推移が類似している類似ペットＳＰを検索し、類似ペットＳＰの健康状態の推移を出力する。なお、類似ペットＳＰは、本開示の技術に係る「類似被検体」の一例である。
【００９５】
図２１において、第３実施形態のＲＷ制御部５５は、類似ペットＳＰを検索するための第１検索キーＳＫ１を健康状態情報ＤＢ８０に出力する。健康状態情報ＤＢ８０は、第１検索キーＳＫ１に対応する類似ペットＳＰをＲＷ制御部５５に出力する。すなわち、ＲＷ制御部５５は、本開示の技術に係る「第１検索部」の一例である。ＲＷ制御部５５は、類似ペットＳＰの情報である類似ペット情報ＳＰＩを作成して画面出力制御部５９に出力する。
【００９６】
図２２に示すように、第１検索キーＳＫ１は、対象ペットＴＰの前回領域および今回領域を含む。ＲＷ制御部５５は、健康状態情報ＤＢ８０から、分割領域Ｒの推移が、第１検索キーＳＫ１の対象ペットＴＰの前回領域および今回領域と同じ推移を辿ったペットを、類似ペットＳＰとして取得する。ＲＷ制御部５５は、類似ペットＳＰのペット識別情報、分割領域Ｒの推移、および交点の位置情報を含む類似ペット情報ＳＰＩを作成する。図２２は、対象ペットＴＰの前回領域がＲ＿Ｂ、今回領域がＲ＿Ｆであった場合を例示している。そして、分割領域Ｒの推移がＲ＿Ｂ→Ｒ＿Ｆ→Ｒ＿Ｉで、対象ペットＴＰの前回領域および今回領域と同じ推移を辿った、ペット識別情報「Ｐ０１００」のペットが、類似ペットＳＰとして検索された場合を例示している。
【００９７】
なお、第１検索キーＳＫ１には、動物種、品種、性別、年齢といった対象ペットＴＰのペット情報も含まれている。ＲＷ制御部５５は、対象ペットＴＰの動物種、品種、性別、年齢が同じ類似ペットＳＰを検索する。対象ペットＴＰの体長、体高、腹囲、あるいは対象ペットＴＰの疾患等を第１検索キーＳＫ１に含め、なるべくこれらが同じ類似ペットＳＰを検索してもよい。
【００９８】
図２３および図２４において、第３実施形態の健診結果表示画面９５の座標領域表示区画７２には、類似ペット表示ボタン９６が設けられている。図２３の健診結果表示画面９５は類似ペット表示ボタン９６が押下される前、図２４の健診結果表示画面９５は類似ペット表示ボタン９６が押下された後をそれぞれ示している。
【００９９】
類似ペット表示ボタン９６が押下された場合、ＲＷ制御部５５において類似ペットＳＰの検索が行われる。その結果、健診結果表示画面９５には、図２４に示すように、対象ペットＴＰの前回の肥満パラメータと骨パラメータの交点ＩＰ＿ＬＴ、対象ペットＴＰの今回の肥満パラメータと骨パラメータの交点ＩＰ＿ＴＴ、および矢印９２に加えて、類似ペットＳＰの健康状態の推移ＨＣＣ＿ＳＰが表示される。類似ペットＳＰの健康状態の推移ＨＣＣ＿ＳＰは、具体的には、類似ペットＳＰの肥満パラメータと骨パラメータの交点ＩＰ＿ＳＰと、交点ＩＰ＿ＳＰを結ぶ矢印９７とで構成される。
【０１００】
このように、第３実施形態では、ＲＷ制御部５５は、対象ペットＴＰと健康状態の推移が類似している類似ペットＳＰを検索する。画面出力制御部５９は、健診結果表示画面９５を通じて、類似ペットＳＰの健康状態の推移ＨＣＣ＿ＳＰを出力する制御を行う。したがって、類似ペットＳＰの健康状態の推移ＨＣＣ＿ＳＰから、対象ペットＴＰの健康状態の推移を予測することができる。類似ペットＳＰの健康状態の推移が悪化していた場合は、このままでは不健康になるという危機感を植え付けることができ、改善行動に積極的に取り組むモチベーションを上げさせることができる。
【０１０１】
また、画面出力制御部５９は、健診結果表示画面９５を通じて、対象ペットＴＰの前回の肥満パラメータと骨パラメータの交点ＩＰ＿ＬＴ、および対象ペットＴＰの今回の肥満パラメータと骨パラメータの交点ＩＰ＿ＴＴに加えて、類似ペットＳＰの肥満パラメータと骨パラメータの交点ＩＰ＿ＳＰが示された座標領域ＣＲを出力する制御を行う。したがって、対象ペットＴＰの健康状態の推移と類似ペットＳＰの健康状態の推移ＨＣＣ＿ＳＰとを容易に比較することができる。
【０１０２】
［第４実施形態］
図２５〜図３０に示す第４実施形態では、対象ペットＴＰの健康状態の推移が悪化を示す内容であった場合、健康状態の推移が逆に良化している良化ペットＢＰへの処方情報ＰＩを検索し、検索した処方情報ＰＩを出力する。なお、良化ペットＢＰは、本開示の技術に係る「良化被検体」の一例である。
【０１０３】
図２５において、第４実施形態の健康管理装置のストレージデバイス４０Ａには、処方情報ＤＢ１００が記憶されている。処方情報ＤＢ１００には、ペット識別情報毎に、健診日と処方情報ＰＩの組が登録されている。処方情報ＰＩは、例えば「カロリー制限  薬剤Ａ」、「散歩毎日３０分  薬剤Ｂ」等、各ペットに薦めた食事制限と運動、各ペットに投与した薬剤に関する情報である。
【０１０４】
図２６において、第４実施形態のＲＷ制御部５５は、良化ペットＢＰを検索するための第２検索キーＳＫ２を健康状態情報ＤＢ８０に出力する。健康状態情報ＤＢ８０は、第２検索キーＳＫ２に対応する良化ペットＢＰをＲＷ制御部５５に出力する。ＲＷ制御部５５は、良化ペットＢＰの情報である良化ペット情報ＢＰＩを作成して画面出力制御部５９に出力する。
【０１０５】
また、ＲＷ制御部５５は、良化ペットＢＰの処方情報ＰＩを検索するための第３検索キーＳＫ３を処方情報ＤＢ１００に出力する。処方情報ＤＢ１００は、第３検索キーＳＫ３に対応する処方情報ＰＩをＲＷ制御部５５に出力する。すなわち、ＲＷ制御部５５は、本開示の技術に係る「第２検索部」の一例である。ＲＷ制御部５５は、良化ペットＢＰの処方情報ＰＩを画面出力制御部５９に出力する。
【０１０６】
図２７に示すように、第２検索キーＳＫ２は、上記第３実施形態の第１検索キーＳＫ１と同じく、対象ペットＴＰの前回領域および今回領域を含む。ＲＷ制御部５５は、健康状態情報ＤＢ８０から、分割領域Ｒの推移が、第２検索キーＳＫ２の対象ペットＴＰの前回領域および今回領域と逆の推移を辿ったペットを、良化ペットＢＰとして取得する。ＲＷ制御部５５は、良化ペットＢＰのペット識別情報、分割領域Ｒの推移、および交点の位置情報を含む良化ペット情報ＢＰＩを作成する。図２７は、対象ペットＴＰの前回領域がＲ＿Ｂ、今回領域がＲ＿Ｆであった場合を例示している。そして、分割領域Ｒの推移がＲ＿Ｆ→Ｒ＿Ｂで、対象ペットＴＰの前回領域および今回領域と逆の推移を辿った、ペット識別情報「Ｐ０６００」のペットが、良化ペットＢＰとして検索された場合を例示している。
【０１０７】
なお、第２検索キーＳＫ２には、第１検索キーＳＫ１と同じく、動物種、品種、性別、年齢といった対象ペットＴＰのペット情報も含まれている。ＲＷ制御部５５は、対象ペットＴＰの動物種、品種、性別、年齢が同じ良化ペットＢＰを検索する。第１検索キーＳＫ１と同じく、対象ペットＴＰの体長、体高、腹囲、あるいは対象ペットＴＰの疾患等を第２検索キーＳＫ２に含め、なるべくこれらが同じ良化ペットＢＰを検索してもよい。
【０１０８】
図２８に示すように、第３検索キーＳＫ３は、良化ペットＢＰのペット識別情報を含む。ＲＷ制御部５５は、処方情報ＤＢ１００から、第３検索キーＳＫ３の良化ペットＢＰのペット識別情報に対応する最新の処方情報ＰＩを取得する。図２８は、良化ペットＢＰのペット識別情報が「Ｐ０６００」で、処方情報ＰＩが「カロリー制限  薬剤Ａ」であった場合を例示している。
【０１０９】
図２９および図３０において、第４実施形態の健診結果表示画面１０５の座標領域表示区画７２には、良化ペット表示ボタン１０６が設けられている。図２９の健診結果表示画面１０５は良化ペット表示ボタン１０６が押下される前、図３０の健診結果表示画面１０５は良化ペット表示ボタン１０６が押下された後をそれぞれ示している。
【０１１０】
良化ペット表示ボタン１０６が押下された場合、ＲＷ制御部５５において良化ペットＢＰへの処方情報ＰＩの検索が行われる。その結果、健診結果表示画面１０５には、図３０に示すように、対象ペットＴＰの前回の肥満パラメータと骨パラメータの交点ＩＰ＿ＬＴ、対象ペットＴＰの今回の肥満パラメータと骨パラメータの交点ＩＰ＿ＴＴ、および矢印９２に加えて、良化ペットＢＰの健康状態の推移ＨＣＣ＿ＢＰが表示される。良化ペットＢＰの健康状態の推移ＨＣＣ＿ＢＰは、具体的には、良化ペットＢＰの肥満パラメータと骨パラメータの交点ＩＰ＿ＢＰと、交点ＩＰ＿ＢＰを結ぶ矢印１０７とで構成される。また、座標領域表示区画７２には、良化ペットＢＰの処方情報ＰＩを示す吹き出し１０８が表示される。
【０１１１】
このように、第４実施形態では、ＲＷ制御部５５は、対象ペットＴＰの健康状態の推移が悪化を示す内容であった場合、健康状態の推移が逆に良化している良化ペットＢＰへの処方情報ＰＩを検索する。画面出力制御部５９は、健診結果表示画面１０５を通じて、良化ペットＢＰへの処方情報ＰＩを出力する制御を行う。したがって、良化ペットＢＰの処方情報ＰＩを、対象ペットＴＰの健康状態を良化させるための手本とすることができる。
【０１１２】
上記各実施形態では、図１１等で示したように、オーナー端末１１のディスプレイ４４Ｂの向きが縦向きであった場合を想定して、各区画７１〜７４を縦方向に並べた健診結果表示画面を例示しているが、これに限らない。図３１に示す健診結果表示画面１１０のように、オーナー端末１１のディスプレイ４４Ｂの向きが横向きであった場合を想定して、ペット情報表示区画７１および座標領域表示区画７２を左側に、健康状態表示区画７３およびアドバイス表示区画７４を右側に、それぞれレイアウトしてもよい。図１１等で示した縦向き用の健診結果表示画面と、図３１で示した横向き用の健診結果表示画面１１０とを、オーナー端末１１のディスプレイ４４Ｂの向きに応じて切り替えて表示することが好ましい。
【０１１３】
座標領域ＣＲの分け方は、上記各実施形態で示した１２等分に限らない。
【０１１４】
健康状態テーブルＨＣＴおよび健康状態推移テーブルＨＣＣＴは、対象ペットＴＰの動物種毎にもつことが好ましい。また、健康状態テーブルＨＣＴおよび健康状態推移テーブルＨＣＣＴを、対象ペットＴＰの品種毎にもっていてもよい。対象ペットＴＰの動物種としては、犬、猫、鳥、ウサギ、ハムスター等が挙げられる。また、対象ペットＴＰの品種としては、対象ペットＴＰの動物種が犬の場合、ラブラドールレトリバー、柴犬、チワワ、ワイマラナー、ヨークシャーテリア、パピヨン、マルチーズ等が挙げられる。対象ペットＴＰの動物種が猫の場合は、ラグドール、ヒマラヤン、ラガマフィン等が挙げられる。
【０１１５】
健康状態テーブルＨＣＴおよび健康状態推移テーブルＨＣＣＴを、さらに性別、年齢毎に細分化してもっていてもよい。また、健康状態テーブルＨＣＴおよび健康状態推移テーブルＨＣＣＴを、去勢手術を行ったか否かで分けてもっていてもよい。
【０１１６】
上記各実施形態では、対象ペットＴＰの健康状態と、対象ペットＴＰの肥満パラメータと骨パラメータの交点ＩＰが示された座標領域ＣＲの出力形態として、健診結果表示画面７０等を例示したが、これに限らない。健診結果表示画面７０等に代えて、あるいは加えて、紙媒体に印刷出力する形態、データファイルとして出力する形態を採用してもよい。対象ペットＴＰの健康状態の推移、対象ペットＴＰの前回の肥満パラメータと骨パラメータの交点ＩＰ＿ＬＴ、および対象ペットＴＰの今回の肥満パラメータと骨パラメータの交点ＩＰ＿ＴＴが示された座標領域ＣＲも同様に、健診結果表示画面９０等に代えて、あるいは加えて、紙媒体に印刷出力する形態、データファイルとして出力する形態を採用してもよい。
【０１１７】
類似ペットＳＰの健康状態の推移ＨＣＣ＿ＳＰ、類似ペットＳＰの肥満パラメータと骨パラメータの交点ＩＰ＿ＳＰが示された座標領域ＣＲも同様に、健診結果表示画面９５に代えて、あるいは加えて、紙媒体に印刷出力する形態、データファイルとして出力する形態を採用してもよい。さらに、良化ペットＢＰへの処方情報ＰＩも同様に、健診結果表示画面１０５に代えて、あるいは加えて、紙媒体に印刷出力する形態、データファイルとして出力する形態を採用してもよい。
【０１１８】
人間を対象被検体としてもよい。
【０１１９】
オーナー端末１１および／または病院端末１２が、健康管理装置１０の機能を担ってもよい。
【０１２０】
健康管理装置１０を構成するコンピュータのハードウェア構成は種々の変形が可能である。例えば、健康管理装置１０を、処理能力や信頼性の向上を目的として、ハードウェアとして分離された複数台のコンピュータで構成することも可能である。具体的には、ＲＷ制御部５５および算出部５６の機能と、取得部５７、第１導出部５８、および画面出力制御部５９の機能とを、２台のサーバコンピュータに分散して担わせる。この場合は２台のサーバコンピュータで健康管理装置１０を構成する。
【０１２１】
このように、コンピュータのハードウェア構成は、処理能力、安全性、信頼性等の要求される性能に応じて適宜変更することができる。さらに、ハードウェアに限らず、作動プログラム５０等のＡＰについても、安全性や信頼性の確保を目的として、二重化したり、あるいは、複数のストレージデバイスに分散して格納することももちろん可能である。
【０１２２】
上記各実施形態において、例えば、ＲＷ制御部５５、算出部５６、取得部５７、第１導出部５８、画面出力制御部５９（画面生成部６０および画面配信部６１）、第２導出部８５といった各種の処理を実行する処理部（Ｐｒｏｃｅｓｓｉｎｇ  Ｕｎｉｔ）のハードウェア的な構造としては、次に示す各種のプロセッサ（Ｐｒｏｃｅｓｓｏｒ）を用いることができる。各種のプロセッサには、ソフトウェアを実行して各種の処理部として機能する汎用的なプロセッサであるＣＰＵ４２Ａに加えて、ＦＰＧＡ（Ｆｉｅｌｄ  Ｐｒｏｇｒａｍｍａｂｌｅ  Ｇａｔｅ Ａｒｒａｙ）等の製造後に回路構成を変更可能なプロセッサであるプログラマブルロジックデバイス（Ｐｒｏｇｒａｍｍａｂｌｅ  Ｌｏｇｉｃ  Ｄｅｖｉｃｅ:ＰＬＤ）、および／またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が含まれる。
【０１２３】
１つの処理部は、これらの各種のプロセッサのうちの１つで構成されてもよいし、同種または異種の２つ以上のプロセッサの組み合わせ（例えば、複数のＦＰＧＡの組み合わせ、および／または、ＣＰＵとＦＰＧＡとの組み合わせ）で構成されてもよい。また、複数の処理部を１つのプロセッサで構成してもよい。
【０１２４】
複数の処理部を１つのプロセッサで構成する例としては、第１に、クライアントおよびサーバ等のコンピュータに代表されるように、１つ以上のＣＰＵとソフトウェアの組み合わせで１つのプロセッサを構成し、このプロセッサが複数の処理部として機能する形態がある。第２に、システムオンチップ（Ｓｙｓｔｅｍ  Ｏｎ  Ｃｈｉｐ:ＳｏＣ）等に代表されるように、複数の処理部を含むシステム全体の機能を１つのＩＣ（Ｉｎｔｅｇｒａｔｅｄ  Ｃｉｒｃｕｉｔ）チップで実現するプロセッサを使用する形態がある。このように、各種の処理部は、ハードウェア的な構造として、上記各種のプロセッサの１つ以上を用いて構成される。
【０１２５】
さらに、これらの各種のプロセッサのハードウェア的な構造としては、より具体的には、半導体素子等の回路素子を組み合わせた電気回路（Ｃｉｒｃｕｉｔｒｙ）を用いることができる。
【０１２６】
以上の記載から、以下の付記項１に記載の発明を把握することができる。
【０１２７】
［付記項１］
対象被検体の肥満の程度を表す肥満パラメータと、前記対象被検体の骨の強さの程度を表す骨パラメータとを取得する取得プロセッサと、
前記肥満パラメータと前記骨パラメータの相関関係に基づいて、前記対象被検体の健康状態を導出する第１導出プロセッサと、
前記健康状態を出力する制御を行う出力制御プロセッサと、
を備える健康管理装置。
【０１２８】
本開示の技術は、上述の種々の実施形態および／または種々の変形例を適宜組み合わせることも可能である。例えば、上記第１実施形態と上記第２実施形態とを複合して実施し、対象ペットＴＰの健康状態、および対象ペットＴＰの健康状態の推移を導出して出力してもよい。あるいは、上記第３実施形態と上記第４実施形態とを複合して実施し、類似ペットＳＰおよび良化ペットＢＰへの処方情報ＰＩを検索して、類似ペットＳＰの健康状態の推移ＨＣＣ＿ＳＰおよび良化ペットＢＰへの処方情報ＰＩを出力してもよい。
【０１２９】
また、本開示の技術は、上記各実施形態に限らず、要旨を逸脱しない限り種々の構成を採用し得ることはもちろんである。さらに、本開示の技術は、プログラムに加えて、プログラムを非一時的に記憶する記憶媒体にもおよぶ。
【０１３０】
以上に示した記載内容および図示内容は、本開示の技術に係る部分についての詳細な説明であり、本開示の技術の一例に過ぎない。例えば、上記の構成、機能、作用、および効果に関する説明は、本開示の技術に係る部分の構成、機能、作用、および効果の一例に関する説明である。よって、本開示の技術の主旨を逸脱しない範囲内において、以上に示した記載内容および図示内容に対して、不要な部分を削除したり、新たな要素を追加したり、置き換えたりしてもよいことはいうまでもない。また、錯綜を回避し、本開示の技術に係る部分の理解を容易にするために、以上に示した記載内容および図示内容では、本開示の技術の実施を可能にする上で特に説明を要しない技術常識等に関する説明は省略されている。
【０１３１】
本明細書において、「Ａおよび／またはＢ」は、「ＡおよびＢのうちの少なくとも１つ」と同義である。つまり、「Ａおよび／またはＢ」は、Ａだけであってもよいし、Ｂだけであってもよいし、ＡおよびＢの組み合わせであってもよい、という意味である。また、本明細書において、３つ以上の事柄を「および／または」で結び付けて表現する場合も、「Ａおよび／またはＢ」と同様の考え方が適用される。
【０１３２】
本明細書に記載された全ての文献、特許出願および技術規格は、個々の文献、特許出願および技術規格が参照により取り込まれることが具体的かつ個々に記された場合と同程度に、本明細書中に参照により取り込まれる。
【符号の説明】
【０１３３】
２  健康管理システム
１０  健康管理装置
１１  オーナー端末
１２  病院端末
１３  ネットワーク
２０  放射線源
２１  放射線検出器（積層型放射線検出器）
２５  筐体
２６  第１放射線検出部
２７  放射線制限板
２８  第２放射線検出部
２９  第１回路部
３０  第２回路部
３１  第１光検出基板
３２  第１シンチレータ
３３  第２光検出基板
３４  第２シンチレータ
４０、４０Ａ、４０Ｂ  ストレージデバイス
４１  メモリ
４２、４２Ａ、４２Ｂ  ＣＰＵ
４３  通信部
４４、４４Ｂ  ディスプレイ
４５、４５Ｂ  入力デバイス
４６  バスライン
５０  作動プログラム（健康管理装置の作動プログラム）
５５  リードライト制御部（ＲＷ制御部、読み出し部、第１検索部、第２検索部）
５６  算出部
５７  取得部
５８  第１導出部
５９  画面出力制御部
６０  画面生成部
６１  画面配信部
６５  健康管理アプリケーションプログラム（健康管理ＡＰ）
６６  ブラウザ制御部
７０、９０、９５、１０５、１１０  健診結果表示画面
７１  ペット情報表示区画
７２  座標領域表示区画
７３  健康状態表示区画
７４  アドバイス表示区画
７５  表示切替ボタン
８０  健康状態情報データベース（健康状態情報ＤＢ）
８５  第２導出部
８７Ａ〜８７Ｃ、９２、９７、１０７  矢印
９１  健康状態推移表示区画
９６  類似ペット表示ボタン
１００  処方情報データベース（処方情報ＤＢ）
１０６  良化ペット表示ボタン
１０８  吹き出し
ＡＨ  動物病院
ＢＤ  骨密度（骨パラメータ）
ＢＦＰ  体脂肪率（肥満パラメータ）
ＢＰ  良化ペット（良化被検体）
ＢＰＩ  良化ペット情報
ＣＲ  座標領域
ＤＲ  医師
ＨＣＣＩ  健康状態推移情報
ＨＣＣＴ  健康状態推移テーブル
ＨＣＣ＿ＢＰ  良化ペットの健康状態の推移
ＨＣＣ＿ＳＰ  類似ペットの健康状態の推移
ＨＣＩ  健康状態情報
ＨＣＩ＿ＬＴ  対象ペットの前回の健康状態情報（対象被検体の前回の肥満パラメータと骨パラメータの相関関係）
ＨＣＩ＿ＴＴ  対象ペットの今回の健康状態情報（対象被検体の今回の肥満パラメータと骨パラメータの相関関係）
ＨＣＴ  健康状態テーブル
ＩＰ  肥満パラメータと骨パラメータの交点
ＩＰ＿ＢＰ  良化ペットの肥満パラメータと骨パラメータの交点
ＩＰ＿ＬＴ  対象ペットの前回の肥満パラメータと骨パラメータの交点
ＩＰ＿ＳＰ  類似ペットの肥満パラメータと骨パラメータの交点
ＩＰ＿ＴＴ  対象ペットの今回の肥満パラメータと骨パラメータの交点
ＭＲ  健診結果
ＯＷ  オーナー
ＰＩ  処方情報
Ｒ  分割領域
ＲＡ  放射線技師
ＲＩＭ、ＲＩＭ１、ＲＩＭ２  放射線画像、第１放射線画像、第２放射線画像
ＳＫ１〜ＳＫ３  第１〜第３検索キー
ＳＰ  類似ペット（類似被検体）
ＳＰＩ  類似ペット情報
ＳＴ１００、ＳＴ１１０、ＳＴ１２０  ステップ
ＳＴ１３０  ステップ（取得ステップ）
ＳＴ１４０  ステップ（第１導出ステップ）
ＳＴ１５０  ステップ（出力制御ステップ）
ＴＰ  対象ペット（対象被検体）
【図１】
2020166682.tif 000003
【図２】
2020166682.tif 000004
【図３】
2020166682.tif 000005
【図４】
2020166682.tif 000006
【図５】
2020166682.tif 000007
【図６】
2020166682.tif 000008
【図７】
2020166682.tif 000009
【図８】
2020166682.tif 000010
【図９】
2020166682.tif 000011
【図１０】
2020166682.tif 000012
【図１１】
2020166682.tif 000013
【図１２】
2020166682.tif 000014
【図１３】
2020166682.tif 000015
【図１４】
2020166682.tif 000016
【図１５】
2020166682.tif 000017
【図１６】
2020166682.tif 000018
【図１７】
2020166682.tif 000019
【図１８】
2020166682.tif 000020
【図１９】
2020166682.tif 000021
【図２０】
2020166682.tif 000022
【図２１】
2020166682.tif 000023
【図２２】
2020166682.tif 000024
【図２３】
2020166682.tif 000025
【図２４】
2020166682.tif 000026
【図２５】
2020166682.tif 000027
【図２６】
2020166682.tif 000028
【図２７】
2020166682.tif 000029
【図２８】
2020166682.tif 000030
【図２９】
2020166682.tif 000031
【図３０】
2020166682.tif 000032
【図３１】
2020166682.tif 000033